(57)【要約】【課題】簡易な構成でありながら、天井パネルを確実に固定しつつ、容易に開閉可能とする。【解決手段】水平方向に間隔をあけて設けられる複数の支持フレーム２の間に板状の天井パネル１０Ａを取り付ける天井パネル取付治具２０Ａは、天井パネル１０Ａに固定されるとともに、支持フレーム２の上側に配置される上部プレート２１Ａと、支持フレーム２の下側に配置される下部プレート２２Ａと、上部プレート２１Ａと下部プレート２２Ａとを結合する磁石２３と、を備え、下部プレート２２Ａは、支持フレーム２を挟んで上部プレート２１Ａに対向する位置Ｐ１と、支持フレーム２を挟んで上部プレート２１Ａに対向する位置Ｐ１から退避した位置Ｐ２との間で、移動可能に設けられている。【選択図】図３
2020007837.tif 000002
【特許請求の範囲】
【請求項１】
水平方向に間隔をあけて設けられる複数の支持フレームの間に板状の天井パネルを取り付ける天井パネル取付治具であって、
前記天井パネルに固定されるとともに、前記支持フレームの上側に配置される第一部材と、
前記支持フレームの下側に配置される第二部材と、
前記第一部材と前記第二部材とを結合する結合部材と、を備え、
前記第二部材は、前記支持フレームを挟んで前記第一部材に対向する位置と、前記支持フレームを挟んで前記第一部材に対向する位置から退避した位置との間で、移動可能に設けられていることを特徴とする天井パネル取付治具。
【請求項２】
前記結合部材は、前記第一部材および前記第二部材の一方に固定された磁石であり、
前記第一部材および前記第二部材の他方は磁性材料からなる、
ことを特徴とする請求項１に記載の天井パネル取付治具。
【請求項３】
前記結合部材は、前記天井パネルを貫通して前記第一部材と前記第二部材とを結合するネジ部材であり、
前記第二部材は、前記ネジ部材に対し、前記天井パネルの下面に沿ってスライド可能に設けられていることを特徴とする請求項１に記載の天井パネル取付治具。
【請求項４】
前記第二部材は、前記支持フレームを挟んで前記第一部材と対向する平面部と、前記支持フレームの下面に形成された溝部に挿入される挿入片とを一体に備えることを特徴とする請求項１から３のいずれか１項に記載の天井パネル取付治具。
【発明の詳細な説明】
【技術分野】
【０００１】
本発明は、天井パネル取付治具に関する。
【背景技術】
【０００２】
ビルディング等の建物の天井として、支持フレームと、支持フレームに支持された天井パネルと、を備えたシステム天井が用いられている。支持フレームは、水平方向に延び、断面略逆Ｔ字状をなしている。このような支持フレームは、水平方向に間隔をあけて互いに平行に複数本が設けられている。天井パネルは、その両端部が、支持フレーム上に載置されることで、互いに隣り合う支持フレーム間に設けられている。
このようなシステム天井において、システム天井の上方の天井裏スペースに設置された設備等を点検するため、点検口を設ける場合がある。このため、システム天井を構成する天井パネルを開閉可能とすることが望まれる。
【０００３】
例えば特許文献１には、天井パネルの一端部を、支持フレームに回動可能に支持する構成が開示されている。この構成において、天井パネルの一端部の両側に位置する支持フレームには、それぞれ支持金具が設けられている。支持金具には、支持フレームと直交する方向に向けて突出する支持棒が設けられている。両側の支持金具間には、断面略逆Ｔ字状の受け金具が設けられ、受け金具の両端が、支持棒に回動可能に支持されている。天井パネルの一端部は、この受け金具に係合されている。天井パネルの他端部は、隣接する他の天井パネルの一端部が係合した受け金具に載置されている。このような構成によれば、天井パネルは、支持棒を中心として回動することで、開閉可能となっている。
しかし、特許文献１に開示されたような構成では、システム天井の施工に際し、支持フレームへの支持金具の装着、受け金具の天井パネルへの係合、受け金具の支持棒への係合等の作業が必要であり、施工に手間がかかる。
【０００４】
また、特許文献２には、システム天井を構成する複数枚の天井パネルを、可動パネルと固定パネルの２種類から構成する点が開示されている。この構成において、可動パネルは、支持フレームに固定されておらず、単に支持フレーム上に載置されている。これにより、可動パネルは、天井パネルの下方の室内スペース側から押し上げることで、容易に開閉することができる。
しかし、このような構成では、地震時等に支持フレームの変形、位置ずれ等が生じると、可動パネルが落下してしまう場合がある。また、システム天井の上方の天井裏スペースの圧力をシステム天井の下方の室内スペースの圧力よりも低くすることで、空気調和や排煙等を行う場合、室内スペースと天井裏スペースとの圧力差によって可動パネルが浮き上がってしまう場合もある。
【先行技術文献】
【特許文献】
【０００５】
【特許文献１】実開平７−２９１２５号公報
【特許文献２】特開２０００−２０４７１０号公報
【発明の概要】
【発明が解決しようとする課題】
【０００６】
本発明の目的は、簡易な構成でありながら、天井パネルを確実に固定しつつ、容易に開閉可能とする、天井パネル取付治具を提供することである。
【課題を解決するための手段】
【０００７】
本発明は、上記課題を解決するため、以下の手段を採用する。
すなわち、本発明の天井パネル取付治具は、水平方向に間隔をあけて設けられる複数の支持フレームの間に板状の天井パネルを取り付ける天井パネル取付治具であって、前記天井パネルに固定されるとともに、前記支持フレームの上側に配置される第一部材と、前記支持フレームの下側に配置される第二部材と、前記第一部材と前記第二部材とを結合する結合部材と、を備え、前記第二部材は、前記支持フレームを挟んで前記第一部材に対向する位置と、前記支持フレームを挟んで前記第一部材に対向する位置から退避した位置との間で、移動可能に設けられていることを特徴とする。
【０００８】
このような構成によれば、第一部材を支持フレームの上側に配置し、支持フレームを挟んで第一部材に対向する位置に第二部材を配置し、結合部材で第一部材と第二部材とを結合する。これにより、天井パネルは、支持フレームを挟み込む第一部材と第二部材とによって確実に固定される。また、第二部材を、支持フレームを挟んで第一部材に対向する位置から退避した位置に移動させることで、天井パネルは、第一部材と第二部材とによって支持フレームを挟み込んだ状態から解除される。これにより、天井パネルを支持フレームから取り外して、支持フレームの間に開口を形成し、点検口等として用いることができる。このようにして、支持フレームを挟んで第一部材に対向する位置から第二部材を退避させるのみで、天井パネルを容易に開閉することができる。また、第一部材と第二部材とを結合部材で結合するのみなので、簡易な構成である。したがって、簡易な構成でありながら、天井パネルを確実に固定しつつ、容易に開閉することができる。
【０００９】
本発明の一態様において、本発明の天井パネル取付治具は、前記結合部材が、前記第一部材および前記第二部材の一方に固定された磁石であり、前記第一部材および前記第二部材の他方は磁性材料からなる。
【００１０】
このような構成によれば、第一部材および第二部材の一方に固定した磁石を、第一部材および第二部材の他方に磁着させることができる。これにより、支持フレームの上側に配置した第一部材と、支持フレームを挟んで第一部材に対向する位置に配置した第二部材とを結合し、天井パネルを確実に固定することができる。また、第一部材および第二部材の他方を、磁石から引き離すことによって、第二部材を、支持フレームを挟んで第一部材に対向する位置から退避した位置に移動させることができる。これにより、天井パネルは、第一部材と第二部材とによって支持フレームを挟み込んだ状態から解除され、天井パネルを容易に開閉することができる。
【００１１】
本発明の一態様において、本発明の天井パネル取付治具は、前記結合部材が、前記天井パネルを貫通して前記第一部材と前記第二部材とを結合するネジ部材であり、前記第二部材は、前記ネジ部材に対し、前記天井パネルの下面に沿ってスライド可能に設けられている。
【００１２】
このような構成によれば、第二部材を、支持フレームを挟んで第一部材に対向する位置に配置した状態で、第一部材と第二部材とをネジ部材によって締結する。これにより、支持フレームの上側に配置した第一部材と、支持フレームを挟んで第一部材に対向する位置に配置した第二部材とを結合し、天井パネルを確実に固定することができる。また、ネジ部材を緩めた状態で、第二部材をネジ部材に対して天井の下面に沿ってスライドさせ、支持フレームを挟んで第一部材に対向する位置から退避した位置に移動させることができる。これにより、天井パネルは、第一部材と第二部材とによって支持フレームを挟み込んだ状態から解除され、天井パネルを容易に開閉することができる。
【００１３】
本発明の一態様においては、本発明の天井パネル取付治具は、前記第二部材が、前記支持フレームを挟んで前記第一部材と対向する平面部と、前記支持フレームの下面に形成された溝部に挿入される挿入片とを一体に備える。
【００１４】
このような構成によれば、第二部材の挿入片を支持フレームの溝部に挿入すると、第二部材が、溝部が連続する方向に交差する方向に移動するのを抑えることができる。これにより、第二部材が支持フレームからずれてしまうのを抑えることができ、天井パネルを確実に固定することができる。
【発明の効果】
【００１５】
本発明によれば、簡易な構成でありながら、天井パネルを確実に固定しつつ、容易に開閉可能とすることができる。
【図面の簡単な説明】
【００１６】
【図１】本発明の第一実施形態に係る天井システムを、斜め下方から見た斜視図である。
【図２】図１の天井システムにおいて、天井パネルを取り外した状態を示す斜視図である。
【図３】図１の天井システムにおける、天井パネル取付治具による天井パネルの取付構造を示す断面図である。
【図４】図１の天井システムにおける、天井パネル取付治具の一部を示す斜視図である。
【図５】本発明の第二実施形態に係る天井システムを、斜め上方から見た斜視展開図である。
【図６】図５の天井システムにおける、天井パネル取付治具による天井パネルの取付構造を示す断面図である。
【図７】図５の天井システムにおける、天井パネル取付治具を示す斜視展開図である。
【図８】図５の天井システムにおいて、天井パネル取付治具の下部プレートをスライドさせた状態を示す断面図である。
【発明を実施するための形態】
【００１７】
以下、添付図面を参照して、本発明による天井パネル取付治具を実施するための形態について、図面に基づいて説明する。
（第一実施形態）
本発明の第一実施形態に係る天井システムを、斜め下方から見た斜視図を図１に示す。図１の天井システムにおいて、天井パネルを取り外した状態を示す斜視図を図２に示す。図１の天井システムにおける、天井パネル取付治具による天井パネルの取付構造を示す断面図を図３に示す。図１の天井システムにおける、天井パネル取付治具の一部を示す斜視図を図４に示す。
【００１８】
図１、図２、図３に示されるように、天井システム１Ａは、支持フレーム２と、天井パネル１０Ａと、天井パネル取付治具２０Ａとを備えている。
支持フレーム２は、建物躯体の一部を構成する天井スラブ（図示無し）に吊金具３（図３参照）を介して吊り下げて設けられている。支持フレーム２は、水平方向に延びている。このような支持フレーム２は、支持フレーム２の延伸方向に直交する水平方向に間隔をあけて、互いに平行に配置されている。また、本実施形態において、支持フレーム２は、水平面内で互いに交差する２方向に沿って延びるように設けられ、下方から見ると格子状に配置されている。
図３に示されるように、支持フレーム２は、その延伸方向に沿った所定間隔毎に支持部材４を備えている。支持部材４は、支持フレーム２から鉛直上方に延びるシャフト部４ａと、シャフト部４ａの上端部に設けられ、吊金具３に連結される連結部４ｂと、を備える。
支持フレーム２は、シャフト部４ａに直交する基板部２ａと、基板部２ａの幅方向両側からそれぞれ鉛直下方に延びる一対の側壁部２ｂと、一対の側壁部２ｂの下端から支持フレーム２の幅方向内側に延びる折返し部２ｃと、を一体に有する。支持フレーム２の下面には、幅方向両側の折返し部２ｃの間に、支持フレーム２の延伸方向に連続する溝部５が形成されている。
【００１９】
図１、図２に示されるように、天井パネル１０Ａは、平面視矩形状（正方形状）で、所定の板厚を有している。天井パネル１０Ａは、例えば、ガラス繊維とパルプを主原料としたガラス繊維パルプ混抄シート（例えば、「カールトン（商品名：野原産業株式会社製）」等により形成されている。天井パネル１０Ａは、水平方向で互いに隣り合う支持フレーム２間に設けられている。本実施形態において、格子状に設けられた四方の支持フレーム２に、天井パネル１０Ａは、その四辺の端部を基板部２ａ上に載置して設けられている。
【００２０】
天井パネル取付治具２０Ａは、天井パネル１０Ａを、支持フレーム２に着脱可能に取り付ける。天井パネル取付治具２０Ａは、平面視矩形状の天井パネル１０Ａにおいて、少なくとも２つの角部に設けられている。本実施形態において、天井パネル取付治具２０Ａは、天井パネル１０Ａにおいて対角線状に位置する二つの角部に設けられている。天井パネル取付治具２０Ａは、天井パネル１０Ａの３つ以上の角部に設けてもよい。
図３に示されるように、天井パネル取付治具２０Ａは、上部プレート（第一部材）２１Ａと、下部プレート（第二部材）２２Ａと、磁石（結合部材）２３と、を備えている。
【００２１】
上部プレート２１Ａは、天井パネル１０Ａの角部に設けられている。上部プレート２１Ａは、平面視五角形状で、天井パネル１０Ａの下面１０ｂに、接着剤等により固定されている。上部プレート２１Ａは、直交する二辺の下面が、支持フレーム２の基板部２ａの上面に接している。これにより、上部プレート２１Ａは、支持フレーム２の上側に配置されている。上部プレート２１Ａは、鉄系材料等の磁性材料からなる。
図３に示されるように、下部プレート２２Ａは、支持フレーム２の下側に配置されている。図４に示されるように、下部プレート２２Ａは、平面視五角形状の平面部２２ｐと、平面部２２ｐの一方の側において互いに直交する二辺から平面部２２ｐに直交して起立する挿入片２２ｓと、平面部２２ｐの他方の側から挿入片２２ｓと同方向に起立するカバー片２２ｔと、を一体に備えている。カバー片２２ｔは、支持フレーム２とほぼ同じ高さを有している。
磁石２３は、下部プレート２２Ａの平面部２２ｐの上側に、接着剤等によって固定されている。磁石２３は、平面部２２ｐに対し、平面部２２ｐから挿入片２２ｓが起立する側に設けられている。磁石２３は、支持フレーム２とほぼ同じ高さを有している。
【００２２】
図３に示されるように、このような下部プレート２２Ａは、平面部２２ｐを支持フレーム２の下面の折返し部２ｃに突き当て、支持フレーム２を挟んで上部プレート２１Ａと上下方向に間隔をあけて対向するよう設けられる。この状態で、磁石２３は、磁性材料からなる上部プレート２１Ａに磁着する。この磁石２３を介し、上部プレート２１Ａと下部プレート２２Ａとは結合される。また、下部プレート２２Ａの二辺に形成された挿入片２２ｓは、互いに直交する二つの支持フレーム２の下面に形成された溝部５に挿入される。下部プレート２２Ａのカバー片２２ｔは、平面部２２ｐと上部プレート２１Ａとの間を塞ぐように配置され、磁石２３を覆い、磁石２３の露出を抑える。
下部プレート２２Ａは、磁石２３によって上部プレート２１Ａに磁着しているので、上部プレート２１Ａに対して着脱可能である。これにより、下部プレート２２Ａは、図３中に二点鎖線で示すように、下部プレート２２Ａ及び磁石２３を下方に移動させ、磁石２３を上部プレート２１Ａから引き離すことで、下部プレート２２Ａと上部プレート２１Ａとの結合が解除される。すなわち、下部プレート２２Ａは、支持フレーム２を挟んで上部プレート２１Ａに対向する位置Ｐ１と、支持フレーム２を挟んで上部プレート２１Ａに対向する位置Ｐ１から退避した位置Ｐ２との間で、移動可能に設けられている。
【００２３】
さらに、図２に示されるように、天井パネル１０Ａの外周部には、上側プレート２１Ａが設けられた部分を除いて周方向に連続する磁気テープ２９が設けられている。磁気テープ２９は、支持フレーム２の上面に磁着される。これにより、天井パネル１０Ａは、磁気テープ２９によっても支持フレーム２に固定される。
【００２４】
図３に示されるように、天井パネル１０Ａを取り付けるには、まず、上部プレート２１Ａを一体に備えた天井パネル１０Ａを、支持フレーム２上に載置する。このとき、磁気テープ２９（図２参照）を支持フレーム２に磁着させることで、天井パネル１０Ａが支持フレーム２に仮固定される。次いで、支持フレーム２の下側において、上部プレート２１Ａと対向する位置に下部プレート２２Ａを近づける。すると、下部プレート２２Ａと一体に設けられた磁石２３が、上部プレート２１Ａに磁着する。これにより、下部プレート２２Ａと上部プレート２１Ａとが、支持フレーム２を挟んで結合される。この状態で、天井パネル１０Ａが、天井パネル取付治具２０Ａによって、支持フレーム２に固定される。
また、天井パネル１０Ａを取り外すときには、天井パネル１０Ａの下方から、下部プレート２２Ａを下方に引っ張る。すると、磁石２３と上部プレート２１Ａとの磁着が解除され、下部プレート２２Ａと上部プレート２１Ａとの結合が解除される。このようにして上部プレート２１Ａから下部プレート２２Ａを取り外すことにより、天井パネル１０Ａを上方に移動させることが可能となる。これによって、図２に示されるように、天井パネル１０Ａが取り付けられていた位置に、開口Ｋが形成され、点検口等として利用することが可能となる。
なお、取り外した上部プレート２１Ａは、支持フレーム２が磁性材料から形成されているのであれば、磁石２３の磁力により、開口Ｋの周囲の支持フレーム２等に磁着させておいてもよい。
【００２５】
上述したような天井パネル取付治具２０Ａによれば、水平方向に間隔をあけて設けられる複数の支持フレーム２の間に板状の天井パネル１０Ａを取り付ける天井パネル取付治具２０Ａであって、支持フレーム２の上側に配置される上部プレート２１Ａと、支持フレーム２の下側に配置される下部プレート２２Ａと、上部プレート２１Ａと下部プレート２２Ａとを結合する磁石２３と、を備え、下部プレート２２Ａは、支持フレーム２を挟んで上部プレート２１Ａに対向する位置Ｐ１と、支持フレーム２を挟んで上部プレート２１Ａに対向する位置Ｐ１から退避した位置Ｐ２との間で、移動可能に設けられている。
このような構成によれば、天井パネル１０Ａに固定された上部プレート２１Ａを支持フレーム２の上側に配置し、下部プレート２２Ａを、支持フレーム２を挟んで上部プレート２１Ａに対向する位置Ｐ１に配置することで、天井パネル１０Ａは、支持フレーム２を挟み込む上部プレート２１Ａと下部プレート２２Ａとによって確実に固定される。また、下部プレート２２Ａを、支持フレーム２を挟んで上部プレート２１Ａに対向する位置Ｐ１から退避した位置Ｐ２に移動させることで、天井パネル１０Ａは、上部プレート２１Ａと下部プレート２２Ａとによって支持フレーム２を挟み込んだ状態から解除される。これにより、天井パネル１０Ａを支持フレーム２から取り外して開口Ｋを形成することができる。このようにして、支持フレーム２を挟んで上部プレート２１Ａに対向する位置Ｐ１から下部プレート２２Ａを退避させるのみで、天井パネル１０Ａを容易に開閉することができる。また、天井パネル取付治具２０Ａは、上部プレート２１Ａと下部プレート２２Ａとを磁石２３で結合するのみなので、簡易な構成である。したがって、天井パネル取付治具２０Ａによれば、天井パネル１０Ａを、簡易な構成でありながら、確実に固定しつつ、容易に開閉することが可能となる。
【００２６】
また、下部プレート２２Ａに磁石２３が固定され、上部プレート２１Ａは磁性材料からなる。このような構成によれば、下部プレート２２Ａに固定した磁石２３を、上部プレート２１Ａに磁着させることができる。これにより、支持フレーム２の上側に配置した上部プレート２１Ａと、支持フレーム２を挟んで上部プレート２１Ａに対向する位置Ｐ１に配置した下部プレート２２Ａとを結合し、天井パネル１０Ａを確実に固定することができる。また、下部プレート２２Ａおよび磁石２３を、上部プレート２１Ａから引き離すことによって、下部プレート２２Ａを、支持フレーム２を挟んで上部プレート２１Ａに対向する位置Ｐ１から退避した位置Ｐ２に移動させることができる。これにより、天井パネル１０Ａは、上部プレート２１Ａと下部プレート２２Ａとによって支持フレーム２を挟み込んだ状態から解除され、天井パネル１０Ａを容易に開閉することが可能となる。
【００２７】
また、下部プレート２２Ａは、支持フレーム２を挟んで上部プレート２１Ａと対向する平面部２２ｐと、支持フレーム２の下面に形成された溝部５に挿入される挿入片２２ｓとを一体に備える。
このような構成によれば、下部プレート２２Ａの挿入片２２ｓを支持フレーム２の溝部５に挿入することによって、下部プレート２２Ａが、溝部５が連続する方向に交差する水平方向に移動するのを抑えることができる。これにより、下部プレート２２Ａが支持フレーム２から不用意にずれてしまうのを抑えることができ、天井パネル１０Ａを確実に固定することができる。
【００２８】
（第一実施形態の変形例）
なお、本発明の天井パネル取付治具は、図面を参照して説明した上述の実施形態に限定されるものではなく、その技術的範囲において様々な変形例が考えられる。
例えば、上記実施形態では、磁石２３を下部プレート２２Ａに設けるようにしたが、磁石２３を上部プレート２１Ａに固定し、下部プレート２２Ａを磁石２３が磁着する磁性材料から形成するようにしてもよい。
また、上記実施形態では、上部プレート２１Ａを、天井パネル１０Ａの下面１０ｂに設けるようにしたが、磁石２３の磁力によって磁石２３を上部プレート２１Ａに磁着させることができるのであれば、上部プレート２１Ａを天井パネル１０Ａの上面に設けるようにしてもよい。
また、上記実施形態では、天井パネル１０Ａを、例えば、ガラス繊維とパルプを主原料としたガラス繊維パルプ混抄シート等により形成したが、これ以外にも、例えば、石膏系材料（例えば石膏ボード）、ロックウール、金属系材料（例えばスパンドレル）等で天井パネル１０Ａを形成することもできる。
【００２９】
（第二実施形態）
次に、本発明による天井パネル取付治具を実施するための第二実施形態について説明する。なお、以下に説明する第二実施形態は、第一実施形態に対して天井パネル取付治具２０Ｂの構成が異なるのみで、支持フレーム２等の他の構成については第一実施形態で示した構成と共通である。したがって、以下においては、上記第一実施形態と異なる部分についてのみ説明し、第一実施形態と共通する構成については、図中に同符号を付してその説明を省略する。
本発明の第二実施形態に係る天井システムを、斜め上方から見た斜視展開図を図５に示す。図５の天井システムにおける、天井パネル取付治具による天井パネルの取付構造を示す断面図を図６に示す。図５の天井システムにおける、天井パネル取付治具を示す斜視展開図を図７に示す。図５の天井システムにおいて、天井パネル取付治具の下部プレートをスライドさせた状態を示す断面図を図８に示す。
【００３０】
図５、図６に示されるように、天井システム１Ｂは、支持フレーム２と、天井パネル１０Ｂと、天井パネル取付治具２０Ｂと、を備えている。
天井パネル１０Ｂは、平面視矩形状（正方形状）で、所定の板厚を有している。天井パネル１０Ｂは、例えば、石膏系材料（例えば石膏ボード）、ロックウール、金属系材料（例えばスパンドレル）により形成されている。天井パネル１０Ｂは、水平方向で互いに隣り合う支持フレーム２間に設けられている。
図６に示されるように、天井パネル１０Ｂの外周部は、下面１０ｂ側に対し、上面１０ａ側が外側に張り出すよう、張り出し部１１が形成されている。張り出し部１１の下側には、支持フレーム２の基板部２ａの上面に支持される被支持面１１ｆが形成されている。天井パネル１０Ｂは、被支持面１１ｆが基板部２ａ上に支持された状態で、下面１０ｂ側が、格子状に設けられた四方の支持フレーム２の内側に配置されている。
【００３１】
天井パネル取付治具２０Ｂは、天井パネル１０Ｂを支持フレーム２に着脱可能に取り付ける。天井パネル取付治具２０Ｂは、平面視矩形状の天井パネル１０Ｂにおいて、少なくとも２つの角部に設けられている。本実施形態において、天井パネル取付治具２０Ｂは、天井パネル１０Ｂにおいて対角線状に位置する二つの角部に設けられている。天井パネル取付治具２０Ｂは、天井パネル１０Ｂの３つ以上の角部に設けてもよい。
図６、図７に示されるように、天井パネル取付治具２０Ｂは、上部プレート（第一部材）２１Ｂと、下部プレート（第二部材）２２Ｂと、ネジ部材（結合部材）２４と、を備えている。
【００３２】
上部プレート２１Ｂは、天井パネル１０Ｂの角部に設けられている。上部プレート２１Ｂは、平面視五角形で、天井パネル１０Ｂの上面１０ａに沿って接着剤等によって固定されている。上部プレート２１Ｂには、ネジ部材２４がねじ込まれる雌ネジ孔２１ｈが形成されている。上部プレート２１Ｂは、支持フレーム２の上側に配置されている。
下部プレート２２Ｂは、支持フレーム２の下側に配置されている。下部プレート２２Ｂは、平面視五角形状の平面部２２ｑと、平面部２２ｑにおいて互いに直交する二辺から平面部２２ｑに直交して起立する挿入片２２ｒと、を一体に備えている。下部プレート２２Ｂの平面部２２ｑには、長孔２２ｈが形成されている。
【００３３】
上部プレート２１Ｂと下部プレート２２Ｂとは、ネジ部材２４によって結合されている。ネジ部材２４は、外周面に雄ネジ溝を有する軸部２４ｂと、軸部２４ｂの下端部に設けられた頭部２４ａと、を備えている。軸部２４ｂは、天井パネル１０Ｂの下方から上方に向かって、下部プレート２２Ｂの長孔２２ｈ、天井パネル１０Ｂを貫通し、上部プレート２１Ｂの雌ネジ孔２１ｈにねじ込まれている。ネジ部材２４の頭部２４ａは、長孔２２ｈの幅よりも大きな外径を有している。この頭部２４ａにより、下部プレート２２Ｂは、下方への移動が拘束されている。
図８に示されるように、ネジ部材２４を緩め、頭部２４ａを天井パネル１０Ｂの下面１０ｂから下方に移動させると、下部プレート２２Ｂは、ネジ部材２４が挿通された長孔２２ｈの延伸方向にスライド可能となる。下部プレート２２Ｂは、長孔２２ｈの延伸方向にスライドさせることで、挿入片２２ｒが、天井パネル１０Ｂの角部から、下面１０ｂに沿った方向に出没可能となっている。
【００３４】
図６に示されるように、下部プレート２２Ｂは、挿入片２２ｒを天井パネル１０Ｂの角部から外側に突出させた位置Ｐ１１において、支持フレーム２を挟んで上部プレート２１Ｂに対向する。この位置Ｐ１１で、下部プレート２２Ｂは、平面部２２ｑが支持フレーム２の下面の折返し部２ｃに突き当たり、天井パネル１０Ｂの被支持面１１ｆと下部プレート２２Ｂとで支持フレーム２を上下から挟み込む。この状態で、下部プレート２２Ｂの二辺に形成された挿入片２２ｒは、互いに直交する二つの支持フレーム２の下面に形成された溝部５に挿入される。
また、図８に示されるように、下部プレート２２Ｂは、ネジ部材２４を緩めて平面部２２ｑを下方に移動させ、挿入片２２ｒを溝部５から引き抜いた後、長孔２２ｈに沿って天井パネル１０Ｂの角部の内側に向かってスライドさせる。これにより、下部プレート２２Ｂは、上部プレート２１Ｂに対向する位置Ｐ１１から退避した位置Ｐ１２に移動する。これにより、天井パネル１０Ｂは、上部プレート２１Ｂと下部プレート２２Ｂとによって支持フレーム２を挟み込んだ状態から解除される。これにより、天井パネル１０Ｂを支持フレーム２から上方に取り外すことで、点検口等として用いられる開口Ｋを形成することができる。
【００３５】
上述したような天井パネル取付治具２０Ｂによれば、水平方向に間隔をあけて設けられる複数の支持フレーム２の間に板状の天井パネル１０Ｂを取り付ける天井パネル取付治具２０Ｂであって、支持フレーム２の上側に配置される上部プレート２１Ｂと、支持フレーム２の下側に配置される下部プレート２２Ｂと、上部プレート２１Ｂと下部プレート２２Ｂとを結合するネジ部材２４と、を備え、下部プレート２２Ｂは、支持フレーム２を挟んで上部プレート２１Ｂに対向する位置Ｐ１１と、支持フレーム２を挟んで上部プレート２１Ｂに対向する位置Ｐ１１から退避した位置Ｐ１２との間で、移動可能に設けられている。
このような構成によれば、天井パネル１０Ｂに固定された上部プレート２１Ｂを支持フレーム２の上側に配置し、下部プレート２２Ｂを、支持フレーム２を挟んで上部プレート２１Ｂに対向する位置Ｐ１１に配置した状態で、ネジ部材２４で締結する。これにより、天井パネル１０Ｂは、支持フレーム２を挟み込む上部プレート２１Ｂと下部プレート２２Ｂとによって確実に固定される。また、下部プレート２２Ｂを、支持フレーム２を挟んで上部プレート２１Ｂに対向する位置Ｐ１１から退避した位置Ｐ１２に移動させることで、天井パネル１０Ｂは、上部プレート２１Ｂと下部プレート２２Ｂとによって支持フレーム２を挟み込んだ状態から解除される。これにより、天井パネル１０Ｂを支持フレーム２から取り外すことで開口Ｋを形成することができる。このようにして、支持フレーム２を挟んで上部プレート２１Ｂに対向する位置Ｐ１１から下部プレート２２Ｂを退避させるのみで、天井パネル１０Ｂを容易に開閉することができる。また、天井パネル取付治具２０Ｂは、上部プレート２１Ｂと下部プレート２２Ｂとをネジ部材２４で結合するのみなので、簡易な構成である。したがって、天井パネル取付治具２０Ｂによれば、天井パネル１０Ｂを、簡易な構成でありながら、確実に固定しつつ、容易に開閉することが可能となる。
【００３６】
また、ネジ部材２４は、天井パネル１０Ｂを貫通して上部プレート２１Ｂと下部プレート２２Ｂとを結合し、下部プレート２２Ｂは、ネジ部材２４に対し、天井パネル１０Ｂの下面１０ｂに沿ってスライド可能に設けられている。
このような構成によれば、下部プレート２２Ｂをネジ部材２４に対して天井パネル１０Ｂの下面１０ｂに沿ってスライドさせることで、下部プレート２２Ｂを、支持フレーム２を挟んで上部プレート２１Ｂに対向する位置Ｐ１１と、位置Ｐ１１から退避した位置Ｐ１２との間で、容易に移動させることができる。これにより、天井パネル１０Ｂを容易に開閉することができる。
【００３７】
また、下部プレート２２Ｂは、支持フレーム２を挟んで上部プレート２１Ｂと対向する平面部２２ｑと、支持フレーム２の下面に形成された溝部５に挿入される挿入片２２ｒとを一体に備える。
このような構成によれば、下部プレート２２Ｂの挿入片２２ｒを支持フレーム２の溝部５に挿入すると、下部プレート２２Ｂが、溝部５が連続する方向に交差する水平方向に移動するのを抑えることができる。これにより、下部プレート２２Ｂが支持フレーム２から不用意にずれてしまうのを抑えることができ、天井パネル１０Ｂを確実に固定することができる。
【００３８】
（第二実施形態の変形例）
なお、上記第二実施形態では、天井パネル１０Ｂの上面１０ａ側に、外側に張り出す張り出し部１１を形成し、張り出し部１１の被支持面１１ｆを支持フレーム２上に載せるようにしたが、これに限らない。例えば、上部プレート２１Ｂの端部を、天井パネル１０Ｂの角部から外側に突出させて、支持フレーム２上に載せるようにしてもよい。
【００３９】
（その他の変形例）
上記各実施形態およびその変形例では、支持フレーム２を格子状に形成し、矩形状の天井パネル１０Ａ、１０Ｂを、四方の支持フレーム２の内側に設けるようにしたが、これに限らない。例えば、水平面内で一方向に延びる複数本の支持フレーム２を互いに平行に設置し、互いに隣り合う支持フレーム２間に天井パネル１０Ａ、１０Ｂを設けるようにしてもよい。
これ以外にも、本発明の主旨を逸脱しない限り、上記実施の形態で挙げた構成を取捨選択したり、他の構成に適宜変更したりすることが可能である。
【符号の説明】
【００４０】
２  支持フレーム                        ２２Ａ、２２Ｂ  下部プレート（第二部材）
１０Ａ、１０Ｂ  天井パネル              ２２ｐ、２２ｑ  平面部
１０ｂ  下面                            ２２ｒ、２２ｓ  挿入片
２０Ａ、２０Ｂ  天井パネル取付治具      ２３  磁石（結合部材）
２１Ａ、２１Ｂ  上部プレート（第一部材）  ２４  ネジ部材（結合部材）
【図１】
2020007837.tif 000003
【図２】
2020007837.tif 000004
【図３】
2020007837.tif 000005
【図４】
2020007837.tif 000006
【図５】
2020007837.tif 000007
【図６】
2020007837.tif 000008
【図７】
2020007837.tif 000009
【図８】
2020007837.tif 000010